(57)【要約】【課題】フィルムロールに巻き取られるフィルムを位置ズレさせず、フィルムロールにシワを形成させることなく、フィルムを巻き取ることのできるフィルム巻取装置を提供することである。【解決手段】一定の幅を有する帯状のフィルム３０を巻芯１１に巻き取ってフィルムロール３１を形成するフィルム巻取装置１０のタッチローラ２０が、タッチローラ幅２９の中央からタッチローラの両端部２２、２３に向けて順次先細るテーパー面２１を有し、タッチローラ２０が接触するフィルム３０上の接触面３４の最大幅３６が、フィルムの幅３３の５％以上、９５％以下の範囲、好適に３０％以上、６０％以下の範囲にある。タッチローラの両端部２２、２３が、テーパー面２１に連続するＲ面取り部分２４、２５を有する。【選択図】図１
2007191276.tif 000002
【特許請求の範囲】
【請求項１】
一定の幅を有する帯状のフィルムを巻き取るための装置であって、
巻軸を有し、この巻軸に関して回転可能な円柱形又は円筒形の巻芯であって、
前記フィルムの幅の方向が前記巻軸と平行となるように、前記フィルムの前縁部分が前記巻芯に取り付けられる、
ところの巻芯、
前記フィルムを前記巻芯に巻き取って、前記フィルムからなるフィルムロールを形成するために、前記巻芯を前記巻軸に関して回転させるための手段、及び
前記巻軸と平行な回転軸を有し、この回転軸に関して回転可能なタッチローラであって、
前記タッチローラが、前記タッチローラの幅の中央から前記タッチローラの両端部に向けて順次先細るテーパー面を有し、
前記タッチロールの形状が、前記タッチローラの幅の中央を通過し且つ前記回転軸に垂直な平面に関して対称であり、
前記フィルムロールの外周面に巻き取られる前記フィルムの幅の中央が前記タッチローラの幅の中央を介して前記フィルムロールの外周面の幅の中央に押し当てられるように前記タッチローラの幅の中央が前記フィルムの幅の中央に位置する、
ところのタッチローラ、
から成り、
前記タッチローラが接触する前記フィルム上の接触面の前記回転軸の方向の幅の最大幅が、前記フィルムの幅の５％以上、９５％以下の範囲にある、
ところの装置。
【請求項２】
請求項１の装置であって、
前記接触面の前記回転軸の方向の幅の最大幅が、前記フィルムの幅の３０％以上、６０％以下の範囲にある、
ところの装置。
【請求項３】
請求項１の装置であって、
前記テーパー面が、円状又は楕円状の曲線を前記回転軸の周りに回転してえられる球面状又は楕円面状の曲面である、
ところの装置。
【請求項４】
請求項１の装置であって、
前記タッチローラの両端部が、前記テーパー面に連続するＲ面取り部分を有する、
ところの装置。
【請求項５】
請求項１の装置であって、
前記テーパー面が、一方の対角線が前記回転軸上にあり且つ他方の対角線が前記タッチロールの幅の中央を通過する菱形を前記回転軸の周りに回転してえられる円錐面であり、
前記タッチローラの両端部が、前記テーパー面に連続するＲ面取り部分を有する、
ところの装置。
【発明の詳細な説明】
【技術分野】
【０００１】
本発明は、紙、プラスチックなどからなる単層構造のフィルム、及び布又はプラスチックからなる基材フィルムの表面に研磨層、磁性層などを積層した多層構造のフィルムを巻き取るためのフィルム巻取装置に関するものである。
【背景技術】
【０００２】
一般に、単層構造及び多層構造のフィルムは、図５Ａ、図６Ａ及び図７Ａに示すようなフィルム巻取装置を使用して巻き取られている。
【０００３】
図５Ａに示すフィルム巻取装置５０は、巻軸１２に関して円柱形又は円筒形の巻芯１１を回転させ、フィルム３０の幅３３の方向が巻軸１２と平行となるように、フィルム３０を巻芯１１に巻き取って、フィルム３０からなるフィルムロール３１を形成させるものである。フィルム３０は、巻芯１１の回転により、フィルムロール３１の上流側に配置されているガイドローラ（図示せず）を通じて矢印Ｔの方向に走行し、フィルムロールの外周面３２上に巻き取られる。このフィルム巻取装置５０では、図５Ｂに示すように、フィルム３０は、符号３７で示す接触線に沿ってフィルムロールの外周面３２上に接触する。そして、フィルムロールの外周面３２上に巻き取られるフィルム３０には、ガイドローラにより、張力が接触線３７にわたってフィルム３０の走行方向Ｔと反対の方向に作用している。
【０００４】
このような従来のフィルム巻取装置５０では、回転するフィルムロール３１の外周面３２に追従して流れる空気がフィルムロールの外周面３２とフィルム３０との間に巻き込まれ、接触線３７上にわたって作用している上記の張力が均一でなくなり、フィルムロール３１に巻き取られるフィルム３０が位置ズレする、という問題が生じる。また、この空気の巻き込みによるフィルムロールの外周面３２上のフィルム３０の局所的な位置ズレにより、フィルム３０が、局所的に位置ズレした状態でフィルムロール３１に巻き取られ、フィルムロール３１にシワが形成される、という問題が生じる。
【０００５】
このような空気の巻き込みによる位置ズレを防ぐため、図６Ａに示すフィルム巻取装置６０のように、フィルム３０の幅（符号３３）よりも長い幅の円柱状のタッチローラ６１（図６Ｂ）を介して、フィルムロール３１に巻き取られるフィルム３０をフィルムロールの外周面３２上に押し当てている（例えば、特許文献１〜７参照）。
【０００６】
この図６Ａに示す従来のフィルム巻取装置６０では、フィルム３０は、フィルム３０の幅全体（符号３３、３６）がタッチロール６１に接触（図６Ｃに、タッチロール６１が接触するフィルム３０上の接触面を符号３４で示す）し、次いで、フィルム３０の幅全体がフィルムロール３１の外周面３２上に接触（図６Ｃに、フィルム３０がフィルムロール３１の外周面３２上に接触する接触線を符号３７で示す）し、この接触線３７上で、タッチロール６１を介して、フィルム３０の幅全体がフィルムロールの外周面３２上に押し当てられ、フィルムロール３１に巻き取られる。
【０００７】
すなわち、このフィルム巻取装置６０では、フィルム３０の幅全体がタッチローラ６１を介して上記の接触線３７にわたってフィルムロールの外周面３２上に押し当てられるので、上記のように空気を巻き込まずに、フィルム３０をフィルムロール３１に巻き取ることができる。
【０００８】
しかし、フィルム３０は、上記のように円柱形又は円筒形の巻芯１１に巻き取られるので、フィルム３０の表面側とその裏面側（巻軸１２の側）とでは曲率半径が異なり、フィルムロール３１に巻き取られたフィルムの巻軸１２の側の部分がフィルムロール３１の円周方向（すなわち、フィルムロール３１が回転する方向）に圧縮され、フィルムロール３１の径に斑が局所的に生じる。特に、多層構造のフィルムでは、フィルムロール３１に巻き取られたフィルムの表面側の層と巻軸１２の側の層との間に局所的なズレが生じて、フィルムロール３１の径に斑が局所的に生じる。
【０００９】
また、一般に、フィルム３０は、外周に複数枚の刃を平行に取り付けたローラを有するスリッターを使用して一定の幅にスリットしてからフィルム巻取装置で巻き取られるので、スリッターの刃の摩耗などにより、スリット時に、フィルム３０の側部が変形し、スリットしたフィルムの側部付近が厚くなることがある。さらに、浮遊塵などの異物がフィルム３０に静電的に付着したままフィルムロール３１に巻き取られ、フィルムロール３１の径に斑が局所的に生じることもある。
【００１０】
このように、フィルム３０を巻き取っているフィルムロール３１の径に斑があると、フィルムロール３１の径が大きい個所では、フィルムロールの外周面３２上に押し当てられて巻き取られるフィルム３０に、フィルム３０の走行方向Ｔと反対の方向に極端に高い張力が局所的に作用し、フィルムロール３１に巻き取られるフィルム３０が位置ズレする。そして、図６Ａに示すような従来のフィルム巻取装置６０では、フィルム３０の幅全体が接触線３７にわたってタッチロール６１を介してフィルムロールの外周面３２上に押し当てられているので、フィルム３０が位置ズレした直後に、この位置ズレしたフィルムの部分がタッチロール６１によってフィルムロールの外周面３２上に押し当てられ、これにより、フィルムロールの外周面３２にシワが形成される、という問題が生じる。
【００１１】
また、図７Ａに示す従来のフィルム巻取装置７０では、タッチローラ７１の幅の中央からその両端部に向けて順次先細るタッチローラ７１（図７Ｂ）が使用されている（例えば、特許文献８参照）。
【００１２】
このフィルム巻取装置７０では、フィルム３０は、図７Ｂに示すように、フィルム３０の幅全体（符号３３、３６で示す）がタッチローラ７１に接触している。
【００１３】
フィルム３０は、図７Ｃに示すように、フィルム３０の幅（符号３３、３６）の中央からその両端部に向けて順次先細るように接触し（符号３４で示す接触面）、フィルム３０の幅の中央が、タッチローラ７１の幅の中央を介してフィルムロールの外周面３２上に押し当てられ、接触線３７に沿って、フィルム３０の幅の中央からその両側部に向けてフィルムロールの外周面３２上に順次接触する。
【００１４】
そして、このフィルム巻取装置７０では、タッチローラ６１（上記のようにフィルム３０の幅全体が接触している）によって、フィルム３０の走行方向Ｔと反対の方向に向いた張力がフィルム３０の接触線３７にわたって作用しているので、上記のように空気を巻き込まずに、フィルム３０をフィルムロール３１に巻き取ることができる。
【００１５】
しかし、このような従来のフィルム巻取装置７０では、フィルム３０の幅全体がタッチローラ７１に接触しているので、上記のようにフィルムロール３１の径に局所的な斑があると、この径の大きい個所に、フィルム３０の走行方向Ｔと反対の方向に極端に大きい張力が作用して、フィルムロール３１に巻き取られるフィルム３０が位置ズレする、という問題が生じる。また、このフィルムの局所的な位置ズレにより、フィルム３０が、局所的に位置ズレした状態でフィルムロール３１に巻き取られ、フィルムロール３１にシワが形成される、という問題が生じる。
【００１６】
すなわち、空気を巻き込まないように、フィルム３０の幅全体をタッチローラ６１に接触させることによって、フィルム３０の接触線３７にわたって、張力がタッチローラ６１の側の方向に作用するようにしているので、フィルムローラ３１の外周面３２上でフィルム３０の局所的な位置ズレが生じると、フィルム３０の両側部が、フィルムロール３１に既に巻き取られているフィルムの両側部に追従できず、フィルム３０の位置ズレを修正できずに、フィルム３０は、フィルムロールの外周面３２上で位置ズレしたままの状態でフィルムロールの外周面３２上に巻き取られ、フィルムロール３１にシワが形成される。
【特許文献１】実開平６‐２５２４９号公報
【特許文献２】特開平６−３２９３０８号公報
【特許文献３】特開平９−１９４０８６号公報
【特許文献４】特開平１０−６７４４９号公報
【特許文献５】特開２０００−１２８４０６号公報
【特許文献６】特開２００１−６３８７７号公報
【特許文献７】特開２００４−６７３６８号公報
【特許文献８】特開平５−３１０３４６号公報
【発明の開示】
【発明が解決しようとする課題】
【００１７】
従来の技術では、上記のように、タッチロールを使用せずに、フィルムを巻き取る場合、フィルムロールとフィルムとの間に空気が巻き込まれ、これにより、フィルムロールに巻き取られるフィルムが位置ズレし、フィルムロールにシワができる、という問題が生じる。
【００１８】
一方、タッチロールを使用して、フィルムの幅全体をタッチロールに接触させてからフィルムをフィルムロールに巻き取る場合、フィルムには、フィルムがフィルムロールに接触する接触線にわたって、張力がフィルムの走行方向と反対の方向に作用しているので、フィルムロールの径に局所的な斑があると、フィルムロールの径が大きい個所で、この張力が極端に大きくなり、これにより、フィルムロールに巻き取られるフィルムが位置ズレし、フィルムロールにシワが形成される、という問題が生じる。
【００１９】
本発明は、上記問題に鑑みてなされたものであり、したがって、フィルムロールに巻き取られるフィルムを位置ズレさせず、フィルムロールにシワを形成させることなく、フィルムを巻き取ることのできるフィルム巻取装置を提供することを目的とするものである。
【課題を解決するための手段】
【００２０】
上記目的を達成する本発明のフィルム巻取装置は、一定の幅を有する帯状のフィルムを巻き取るためのものであり、軸線に関して回転可能な円柱形又は円筒形の巻芯（以下、この巻芯の軸線を「巻軸」という）、フィルムを巻芯に巻き取って、フィルムからなるフィルムロールを形成するために、巻芯を巻軸に関して回転させるための手段、及び巻軸と平行な軸線に関して回転可能なタッチローラ（以下、このタッチローラの軸線を「回転軸」という）から構成される。
【００２１】
フィルムの前縁部分は、フィルムの幅の方向が上記の巻軸と平行となるように、巻芯に取り付けられる。
【００２２】
タッチローラは、タッチローラの幅の中央からタッチローラの両端部に向けて順次先細るテーパー面を有し、タッチロールの形状は、タッチローラの幅の中央を通過し且つ上記の回転軸に垂直な平面に関して対称である。（ここで、タッチローラの幅とは、タッチローラの上記の回転軸の方向の幅をいう。）
【００２３】
そして、フィルムロールの外周面に巻き取られるフィルムの幅の中央がタッチローラの幅の中央を介してフィルムロールの外周面の幅の中央に押し当てられるように、タッチローラの幅の中央は、フィルムの幅の中央に位置する。
【００２４】
上記目的を達成するため、本発明では、タッチローラがフィルムに接触するフィルム上の接触面の幅の最大幅が、フィルムの幅の５％以上、９５％以下の範囲、好適に、３０％以上、６０％以下の範囲にある。（ここで、接触面の幅とは、接触面の上記の回転軸の方向の幅をいう。）
【００２５】
このように、タッチロールの形状が対称性を有し、またタッチローラの幅の中央がフィルムの幅の中央に位置するので、フィルムロールの外周面に巻き取られるフィルムの幅の中央がタッチローラの幅の中央を介してフィルムロールの外周面の幅の中央に押し当てられ、フィルムローラに巻き取られるフィルムが、フィルムの幅の中央から両側部に向けてフィルムローラの外周面上に、フィルムの幅の中央に関して対称的に順次接触する。
【００２６】
また、本発明のフィルム巻取装置のタッチローラの幅がフィルムの幅よりも短いので、フィルムロールに巻き取られるフィルムの両側部分が空気を巻き込み易い状態にある。すなわち、フィルムロールの径に局所的な斑があり、フィルムロールの径が大きい個所で、フィルムの走行方向と反対の方向に向いた極端に大きい張力がフィルムに作用して、フィルムロールに巻き取られるフィルムが位置ズレしても、フィルムロールに巻き取られるフィルムの両側部分（空気を巻き込み易い状態にある部分）が、フィルムロールに既に巻き取られているフィルムの両側部に追従して、この位置ズレが修正され、フィルムロールにシワが形成されることなく、フィルムがフィルムロールの外周面上に巻き取られていく。
【００２７】
すなわち、フィルムの両側部分に空気が巻き込まれ易くなっているので、フィルムロールの外周面上のフィルムの両側部分は、フィルムの幅の方向に移動し易くなっており、フィルムが位置ズレしても、フィルムロールに巻き取られるフィルムの両端部が、フィルムロールに既に巻き取られているフィルムの両端部に追従し、フィルムの位置ズレが修正される。
【００２８】
タッチローラのテーパー面は、上記のように、タッチローラの幅の中央からタッチローラの両端部に向けて順次先細るものであり、タッチローラの両端部は、このテーパー面に連続するＲ面取り部分を有し得る。
【００２９】
タッチローラのテーパー面は、円状又は楕円状の曲線を上記の回転軸の周りに回転してえられる球面状又は楕円面状の曲面であり得る。そして、タッチローラの両端部は、この曲面に含まれるものであってもよいし、またこの曲面（すなわち、テーパー面）に連続するＲ面取り部分を有してもよい。
【００３０】
タッチローラのテーパー面が、一方の対角線が上記の回転軸上にあり且つ他方の対角線がタッチロールの幅の中央を通過する菱形を上記の回転軸の周りに回転してえられる円錐面であるとき、タッチローラの両端部は、このテーパー面に連続するＲ面取り部分を有する。
【００３１】
本発明は、上記のように、一定の幅を有する帯状のフィルムを巻き取るためのフィルム巻取装置であるが、例えば、一つのフィルム原反から送り出された帯状のフィルムを一定の幅の複数の帯状のフィルム（それぞれのフィルムの幅は、同じであってもよいし、また異なっていてもよい）にスリットし、これらフィルムを同時に巻き取るスリッター付きフィルム巻取装置に、本発明のフィルム巻取装置を複数台組み入れることができる。
【発明の効果】
【００３２】
本発明が以上のように構成されるので、フィルムロールに巻き取られるフィルムを位置ズレさせず、フィルムロールにシワを形成させることなく、フィルムを巻き取ることのできる、という効果を奏する。
【発明を実施するための最良の形態】
【００３３】
図１Ａに本発明のフィルム巻取装置１０を示す。図示のように、本発明のフィルム巻取装置１０は、一定の幅（図１Ｂ及び図１Ｃに符号３３で示す）を有する帯状のフィルム３０を巻き取るためのものである。
【００３４】
本発明のフィルム巻取装置１０は、軸線（符号１２で示す「巻軸」）に関して回転可能な円柱形又は円筒形の巻芯１１、フィルム３０を巻芯１１に巻き取って、フィルム３０からなるフィルムロール３１を形成するために、巻芯１１を巻軸１２に関して回転させるための手段（図示せず）、及び巻軸１２と平行な軸線（符号１４で示す「回転軸」）に関して回転可能なタッチローラ２０から構成される。
【００３５】
巻芯１１を巻軸１２に関して回転させるための手段は、モータを駆動して巻軸１２に関して巻芯１１を回転させる既知の手段である。
【００３６】
フィルム３０の前縁部分（図示せず）は、フィルム３０の幅の方向（図１Ｃに符号３３で示すフィルム３０及びフィルムロール３１の幅の方向）が巻軸１２と平行となるように、巻芯１１に取り付けられる。このフィルム３０の前縁部分は、接着剤を使用して巻芯１１の外周面に固定される。
【００３７】
タッチローラ２０は、図１Ｂに示すように、回転軸１４に一致する軸線を有するシャフト１３に取り付けられる。このシャフト１３は、モータを駆動して巻軸１２に関して巻芯１１を回転させる既知の手段（図示せず）により、回転軸１４に関して回転され得る。
【００３８】
タッチローラ２０は、タッチローラ２０の幅２９の中央からタッチローラ２０の両端部２２、２３に向けて順次先細るテーパー面２１を有する。タッチロール２０の形状は、タッチローラ２０の幅２９の中央を通過し且つ回転軸１４に垂直な平面に関して対称である。（ここで、タッチローラ２０の幅２９とは、タッチローラ２０の上記の回転軸１４の方向の幅をいう。）
【００３９】
そして、フィルムロール３１の外周面３２に巻き取られるフィルム３０の幅３３の中央がタッチローラ２０の幅２９の中央を介してフィルムロール３１の外周面３２の幅の中央に押し当てられるように、タッチローラ２０の幅２９の中央は、フィルム３０の幅３３の中央に位置する。
【００４０】
図１Ｂに示すように、本発明のフィルム巻取装置１０では、タッチローラ２０はフィルム３０に接触する。このフィルム３０上の接触面３４を図１Ｃに示す。
【００４１】
本発明では、この接触面３４の幅（この接触面３４の幅とは、接触面３４の回転軸１４の方向の幅をいう）の最大幅３６が、フィルムの幅３３の５％以上、９５％以下の範囲、好適に、３０％以上、６０％以下の範囲にある。（ここで、このフィルム３０の幅３３に対する接触面３４の幅の最大幅３６が１００％未満の範囲にある状態を図４Ａに示し、この最大幅３６が１００％である状態を図４Ｂに示す。）
【００４２】
フィルム３０は、図１Ｃに示すように、矢印Ｔの方向に走行しながら、フィルム３０の幅３３の中央がタッチローラ２０の幅２９の中央を介してフィルムロール３１の外周面３２の幅の中央に押し当てられ、フィルム３０の幅３３の中央からフィルム３３の両側に向けてフィルムロール３１の外周面３２に順次接触（図１Ｃに、フィルムロール３１の外周面３２に対するフィルム３０の接触線を符号３７で示す）し、フィルムロール３１の外周面３２上に巻き取られる。
【００４３】
タッチローラ２０のテーパー面２１は、上記のように、タッチローラ２０の幅２９の中央からタッチローラ２０の両端部２２、２３に向けて順次先細るものであり、タッチローラ２０の両端部２３、２４は、このテーパー面２１に連続するＲ面取り部分２４、２５を有し得る（テーパー面２１とＲ面取り部分２４、２５との境界を図１Ｂに破線で示す）。
【００４４】
タッチローラ２０のテーパー面２１は、長軸２６ａ又は短軸２６ｂのうちのいずれか一方の軸が回転軸１４に一致し且つ他方の軸がタッチロール２０の幅の中央を通過する楕円状の曲線２６を回転軸１４の周りに回転してえられる楕円面状の曲面（図２Ａ及び図２Ｂ）、又は直径２７ａが回転軸１４に一致し且つ中心（直径２７ａと直径２７ｂとの交点）がタッチロール２０の幅の中央に位置する円状の曲線２７を回転軸１４の周りに回転してえられる球面状の曲面（図２Ｃ）であり得る。
【００４５】
そして、タッチローラ２０の両端部２２、２３は、この曲面に含まれる（すなわち、両端部２２、２３を含むタッチロール２０の形状全体（ただし、シャフト１３に固定される部分を除く）が、符号２６、２７で示す破線で示すような形状にある）ものであってもよいし、またこの曲面２６、２７（すなわち、テーパー面２１）に連続するＲ面取り部分２４、２５を有してもよい（テーパー面２１とＲ面取り部分２４、２５との境界を図２Ａ、図２Ｂ及び図２Ｃに、回転軸１４と垂直な方向の破線で示す）。
【００４６】
また、タッチローラ２０のテーパー面２１は、一方の対角線２８ａが回転軸１４上にあり且つ他方の対角線２８ｂがタッチロール２０の幅の中央を通過する菱形２８を回転軸１４の周りに回転してえられる円錐面でってもよく、この場合、タッチローラ２０の両端部２２、２３は、このテーパー面２１に連続するＲ面取り部分２４、２５を有することが望ましい（テーパー面２１とＲ面取り部分２４、２５との境界を図２Ｄに、回転軸１４と垂直な方向の破線で示す）。
【００４７】
＜実施の形態＞  本発明の実施の形態は、フィルムの原反を複数本の所定の幅のフィルムにスリットし、これらフィルムを複数台の上記本発明のフィルム巻取装置で巻き取って、複数本のフィルムロールを形成するものである。
【００４８】
本発明の実施の形態の一例を図３Ａ及び図３Ｂに示す。図示の例は、フィルムの原反４１から矢印Ｔの方向に送り出されたフィルム４１´を４本の所定の幅（それぞれの幅は同じであってもよいし、また異なっていてもよい）のフィルム３０´、３０´´にスリットし、これらフィルムを４台の上記本発明のフィルム巻取装置１０ａ、１０ｂ、１０ｃ、１０ｄで巻き取って、４本のフィルムロール３１ａ、３１ｂ、３１ｃ、３１ｄを形成するものである。ここで、フィルムのスリット本数とフィルム巻取装置の台数は必要に応じて適宜に選定できる。例えば、スリット本数が２本であるときは、フィルム巻取装置は２台でよい。
【００４９】
原反４１から送り出された一定の幅４９を有するフィルム４１´は、ガイドローラ４３、４４を通じてスリッター４２へ送られ、このスリッターにより複数本（図示の例では４本）の所定の幅３３ａ、３３ｂ、３３ｃ、３３ｄのフィルム３０´、３０´´にスリットされる。スリッター４２は、外周に刃を取り付けたローラと、この刃を受ける外周面を有するローラとを有する既知のスリッターである。
【００５０】
所定の幅３３ａ、３３ｂ、３３ｃ、３３ｄにスリットされた４本のフィルム３０´、３０´´はそれぞれ、ガイドローラ４５、４６、４７、４８を通じて本発明のフィルム巻取装置１０ａ、１０ｂ、１０ｃ、１０ｄの各々へ送られる。
【００５１】
各フィルム巻取装置１０ａ、１０ｂ、１０ｃ、１０ｄは、図１Ａに示すフィルム巻取装置１０と同じく、巻軸１２ａ、１２ｂに関して回転可能な円柱形又は円筒形の巻芯１１ａ、１１ｂ、フィルム３０´、３０´´を巻芯１１ａ、１１ｂにそれぞれ巻き取って、フィルムからなる円柱形のフィルムロール３１ａ、３１ｂ、３１ｃ、３１ｄを形成するために、巻芯１１ａ、１１ｂ、１１ｃ、１１ｄを巻軸１２ａ、１２ｂに関して回転させるための手段（図示せず）、及び巻軸１２ａ、１２ｂと平行な回転軸１４ａ、１４ｂを有するシャフト１３ａ、１３ｂに取り付けたタッチローラ２０ａ、２０ｂ、２０ｃ、２０ｄから構成される。
【００５２】
図示の例では、フィルム巻取装置１０ａ、１０ｂでは、二本のフィルム３０´は、同じ巻軸１２ａに関して回転可能な巻芯１１ａ、１１ｂにそれぞれ巻き取られているが、これらフィルム３０´を別々の巻軸を有する巻芯に個別に巻き取ってもよい。同様に、フィルム巻取装置１０ｃ、１０ｄでは、二本のフィルム３０´´は、同じ巻軸１２ｂに関して回転可能な巻芯１１ｃ、１１ｄにそれぞれ巻き取られているが、これらフィルム３０´´を別々の巻軸を有する巻芯に個別に巻き取ってもよい。
【００５３】
＜比較試験＞  図１に示すようなフィルム巻取装置を使用して、フィルムを巻き取ってフィルムロールを形成し、フィルムロールの品質（巻取り後のシワの発生、及び空気の巻き込みによる位置ズレの発生）について調べた。フィルムとして、厚さ３８μｍのフィルムと厚さ３８μｍのフィルムとをバインダーを介して圧着した多層構造のものを使用した。
【００５４】
＜実施例１＞  タッチローラとして、図２Ａに示すように、そのテーパー面が、回転軸上にある長軸の長さに対するタッチローラの幅の中央を通過する短軸の長さが１３対１０の楕円状の曲線をタッチローラの回転軸の周りに回転させることによりえられた楕円面状の曲面であり、このテーパー部分の両端から連続するＲ面取り部分を有する両端部を有するゴムロール（表面の硬度（日本ゴム協会標準規格、ＳＲＩＳＯ１０１）：アスカーＣ硬度８０、平均表面粗さ（Ｒａ）：１μｍ）を使用した。フィルムの幅に対するタッチローラの接触面の幅の割合は５％であった。
【００５５】
＜実施例２＞  フィルムの幅に対するタッチローラの接触面の幅の最大幅の割合を３０％にした以外は、上記実施例１と同一の条件であった。
【００５６】
＜実施例３＞  フィルムの幅に対するタッチローラの接触面の幅の最大幅の割合を６０％にした以外は、上記実施例１と同一の条件であった。
【００５７】
＜実施例４＞  フィルムの幅に対するタッチローラの接触面の幅の最大幅の割合を９５％にした以外は、上記実施例１と同一の条件であった。
【００５８】
＜比較例１＞  図５Ａに示すように、タッチローラを使用せずにフィルムを巻き取った。
【００５９】
＜比較例２＞  フィルムの幅に対するタッチローラの接触面の幅の最大幅の割合を３％にした以外は、上記実施例１と同一の条件であった。
【００６０】
＜比較例３＞  フィルムの幅に対するタッチローラの接触面の幅の最大幅の割合を９８％にした以外は、上記実施例１と同一の条件であった。
【００６１】
＜比較例４＞  図４Ｂに示すように、フィルムの幅に対するタッチローラの接触面の幅の最大幅の割合を１００％にした以外は、上記実施例１と同一の条件であった。
【００６２】
＜比較例５＞  タッチローラとして、図６Ａ及び図６Ｂに示すように、回転軸の方向に一様に長い円柱形のゴムロール（表面の硬度（日本ゴム協会標準規格、ＳＲＩＳＯ１０１）：アスカーＣ硬度８０、平均表面粗さ（Ｒａ）：１μｍ）を使用し、フィルムの幅に対するタッチローラの接触面の幅の最大幅の割合を１００％にした以外は、上記実施例１と同一の条件であった。
【００６３】
＜比較試験結果＞  比較試験結果を下記の表１に示す。表１に示すように、フィルムの幅に対する接触面の幅の最大幅が、５％未満になると、空気の巻き込みによるフィルムの位置ズレが生じ、９５％を超えると、フィルムの位置ズレによりフィルムロールにシワが形成される。
【００６４】
【表１】
2007191276.tif 000003
【図面の簡単な説明】
【００６５】
【図１】図１は、本発明のフィルム巻取装置の側面図であり、図１Ｂは、図１ＡのＡＡ線断面図であり、図１Ｃは、図１Ａの装置におけるタッチローラに対するフィルムの接触面と、フィルムロールに対するフィルムの接触線とを示す。
【図２】図２Ａ〜図２Ｄは、図１のＡＡ線断面図であり、それぞれ、本発明に従ったタッチローラの断面図である。
【図３】図３は、本発明に従ったスリッター付きフィルム巻取機（本発明の実施の形態）を示し、図３Ａは、その側面図であり、図３Ｂは、その正面図である。
【図４】図４Ａは、本発明に従ったタッチローラとフィルムとの間の接触状態（実施例１〜４、比較例２、比較例３）を説明する断面図であり、図４Ｂは、本発明に従ったタッチローラとフィルムとの間の接触状態（比較例４）を説明する断面図である。
【図５】図５Ａは、従来技術のフィルム巻取装置（タッチローラ無し）（比較例１）の側面図であり、図５Ｂは、図５Ａの装置におけるフィルムロールに対するフィルムの接触線を示す。
【図６】図６Ａは、従来技術のフィルム巻取装置（比較例５）の側面図であり、図６Ｂは、図６ＡのＢＢ線断面図であり、図６Ｃは、図６Ａの装置におけるタッチローラに対するフィルムの接触面と、フィルムロールに対するフィルムの接触線とを示す。
【図７】図７Ａは、従来技術のフィルム巻取装置の側面図であり、図７Ｂは、図７ＡのＣＣ線断面図であり、図７Ｃは、図７Ａの装置におけるタッチローラに対するフィルムの接触面と、フィルムロールに対するフィルムの接触線とを示す。
【符号の説明】
【００６６】
１０、１０ａ、１０ｂ、１０ｃ、１０ｄ・・・本発明のフィルム巻取装置
１１、１１ａ、１１ｂ、１１ｃ、１１ｄ・・・巻芯
１２・・・巻軸
１３、１３ａ、１３ｂ・・・シャフト
１４・・・回転軸
２０、２０ａ、２０ｂ、２０ｃ、２０ｄ・・・タッチローラ
２１・・・テーパー部分
２２、２３・・・端部分
２４、２５・・・Ｒ面取り部分
２６・・・回転楕円体
２６ａ・・・長軸
２６ｂ・・・短軸
２７・・・球体
２７ａ、２７ｂ・・・直径
２８・・・回転体
２８ａ、２８ｂ・・・対角線
２９・・・タッチローラの幅
３０・・・フィルム
３０´、３０´´・・・スリット後のフィルム
３１、３１ａ、３１ｂ、３１ｃ、３１ｄ・・・フィルムロール
３２・・・フィルムロールの外周面
３３、３３ａ、３３ｂ、３３ｃ、３３ｄ・・・フィルム及びフィルムロールの幅
３４・・・タッチローラに接触するフィルムの接触面
３５・・・接触面の幅
３６・・・接触面の幅の最大幅
３７・・・接触線
４０・・・スリッター付きフィルム巻取装置（本発明の実施の形態）
４１・・・フィルム原反
４１´・・・スリット前のフィルム
４２・・・スリッター
４３、４４、４５、４６、４７、４８・・・ガイドローラ
４９・・・フィルム原反の幅
５０、６０、７０・・・従来技術のフィルム巻取装置
６１、７１・・・従来技術のタッチローラ
Ｔ・・・フィルムの走行方向
【図１】
2007191276.tif 000004
【図２】
2007191276.tif 000005
【図３】
2007191276.tif 000006
【図４】
2007191276.tif 000007
【図５】
2007191276.tif 000008
【図６】
2007191276.tif 000009
【図７】
2007191276.tif 000010